(57)【要約】【課題】製作費を高騰させることなく、塵芥のスクリ−ンバ−間への嵌り込みを防止することのできる除塵用バ−スクリ−ンを提供する。【解決手段】スクリ−ンバ−１をその長手方向を流れの深さ方向に、幅方向を流れの方向Ｙにして水路の幅方向Ｘに等間隔に配置した除塵用バ−スクリ−ンにおいて、各スクリ−ンバ−１を、流出側端部または流出側から所定寸法分だけ流入側に遡った所を起点としてそれより上流側のスクリ−ンバ−１を曲面とし、塵芥のバ−スクリ−ン１の流入側の通路を、流出側の通路よりも狭くして、塵芥のスクリ−ンバ−１間への嵌り込みを防止するようにしたことを特徴とする除塵用バ−スクリ−ン。【選択図】図１
2005299213.tif 000002
【特許請求の範囲】
【請求項１】
複数本のスクリ−ンバ−をその長手方向を流れの深さ方向に、幅方向を流れ方向にして水路の幅方向に等間隔に配置した除塵用バ−スクリ−ンにおいて、各スクリ−ンバ−を、流出側端部または流出側から所定寸法分だけ流入側に遡った所を起点としてそれより上流側のスクリ−ンバ−を曲面としたことを特徴とする除塵用バ−スクリ−ン。
【発明の詳細な説明】
【技術分野】
【０００１】
この発明は、流水路を流れる塵芥類を捕捉するバ−スクリ−ンに関し、特に閉塞防止性に優れたバ−スクリ−ンに関するものである。
【背景技術】
【０００２】
揚水ポンプや排水ポンプを配置した水処理設備においては、これらのポンプに塵芥類（以下、塵芥で代表する）が流入して、ポンプが損傷を受けるのを防止するために、水処理設備に流れ込む流水路の途中に自動除塵機を設置して、流水路を流れる塵芥のうち大きさのの大きいものを捕捉するようにしている。自動除塵機は塵芥を捕捉するために水路を遮るように配置されるスクリ−ンと、スクリ−ンに捕捉された塵芥を掻き揚げ排出するレ−キとから構成されている。
【０００３】
上記塵芥を捕捉するスクリ−ンは、一般的には一定長さに切断されたフラットバ−の長手方向を流れの深さ方向に、幅方向を流れの方向に平行にして、水路の幅方向に沿って複数本のフラットバ−を等間隔に配置したものであり、この形状のスクリ−ンをバ−スクリ−ン、バ−スクリ−ンを構成するフラットバ−をスクリ−ンバ−と称している。
【０００４】
このようなバ−スクリ−ンの製作は容易であるが、塵芥の大きさによっては、バ−スクリ−ンに流れ込んだ塵類が、スクリ−ンバ−とスクリ−ンバ−との間に嵌り込んで抜け出せなくなり、塵芥が溜まりすぎてレ−キでの処理が困難となり、遂にはスクリ−ンが閉塞するという大きな問題がある。
【０００５】
そこで、塵芥がスクリ−ンバ−とスクリ−ンバ−との間に嵌り込んで抜け出せなくなるのを防止するために、種々の対策が実施されてきた。その主なものは、図８（ａ）および（ｂ）に示すように、スクリ−ンバ−の深さ方向の断面において、塵芥の流入側に平板部の板厚よりも大きい直径の円形部を設けたフラットバ−２１または流入側の板厚を他の部分よりも厚くした段差付フラットバ−２２や、図９（ａ）および（ｂ）に示すように、フラットバ−２３に他の部材２４や２５を接続したり、図１０に示すように、フラットバ−２６の流入部分に他の部材２７を嵌め合わせたものである（例えば、特許文献１参照。）。なお、図１０中、符号２８はレ−キである。
このような断面形状にすることにより、大きい塵芥の進入がスクリ−ンバ−とスクリ−ンバ−との入口部分で遮られるとともに、スクリ−ンバ−とスクリ−ンバ−との間を通過した塵芥は、スクリ−ンバ−とスクリ−ンバ−との間の流路が下流側の方が広がっているので、スクリ−ンバ−とスクリ−ンバ−との間に嵌り込むことなしにバ−スクリ−ンを通過することができる。
また、細長い堅い物体を通過しないようにした除塵用スクリ−ンとして、スクリ−ンにカ−ブをもたせた除塵用三次元スクリ−ンがある（特許文献２参照）。
【特許文献１】実開平６-８５４２３号公報
【特許文献２】実開昭６２-１６０６１４号公報
【発明の開示】
【発明が解決しようとする課題】
【０００６】
しかしながら、上述した特許文献１に開示されたバ−スクリ−ンの嵌り込み防止対策には、次のような問題点があった。
【０００７】
スクリ−ンバ−として特殊な断面形状のフラットバ−を圧延したり、フラットバ−に他の形鋼等の部材を接続したりする嵌り込み防止対策は、特殊断面形状の圧延フラットバ−は市場性がなく、入手困難でかつ高価になり、フラットバ−に他の形鋼等の部材を接続するものも製作費が高くなり、いずれも抜本的な解決には至っていない。
【０００８】
また、フラットバ−の流入部分に他の部材を嵌合させたものは、比較的加工費は安く抑えることはできるが、嵌合部の嵌合力を保持するためには、被せ代を一定寸法に確保する必要があり、その結果嵌合部分は実質的に平行となって、この部分に塵芥が詰りやすくなる。これを嫌って被せ代を小さくすれば、嵌合力が低下して嵌合部材が抜け出ることになる。
【０００９】
また、特許文献２に開示されたバ−スクリ−ンは、細長い堅い物体をバ−スクリ−ンの流入側で捕捉して、バ−スクリ−ンの流出側以降に通過させない効果はあるが、バ−スクリ−ンの流入側を通過した物体がバ−スクリ−ンの流出側に至るまでに、スクリ−ンバ−間に嵌り込むのを防止する機能は何ら考慮されていないので、本発明で目的とするバ−スクリ−ンの閉塞を防止する効果は期待できない。
【００１０】
この発明は、従来技術の上述のような問題点を解消するためになされたものであり、製作費を高騰させることなく、塵芥の嵌り込みを防止することのできる除塵用バ−スクリ−ンを提供することを目的としている。
【課題を解決するための手段】
【００１１】
この発明に係る除塵用バ−スクリ−ンは、複数本のスクリ−ンバ−をその長手方向を流れの深さ方向に、幅方向を流れ方向にして水路の幅方向に等間隔に配置した除塵用バ−スクリ−ンにおいて、各スクリ−ンバ−を、流出側端部または流出側から所定寸法分だけ流入側に遡った所を起点としてそれより上流側のスクリ−ンバ−を曲面としたものである。
【００１２】
この発明に係る除塵用バ−スクリ−ンにおいては、バ−スクリ−ンを構成する各スクリ−ンバ−を、流出側端部または流出側から所定寸法分だけ流入側に遡った所を起点としてそれより上流側のスクリ−ンバ−を曲面としているので、隣り合うスクリ−ンバ−とスクリ−ンバ−間の塵芥の通路は、曲面としている流入部の先端が流入部に続く直線部よりも狭くなっている。
【００１３】
また、スクリ−ンバ−全体が曲面となっているものにおいても、流入部の通路の方が流出部の通路よりも小さくなっている。
【００１４】
したがって、流出部を通過できないでスクリ−ンバ−間に挟み込まれる程の大きさの塵芥は流入部で補足されるとともに、流入部を通過した塵芥は流出部でスクリ−ンバ−間に嵌り込むことなしに排出することができる。
【００１５】
また、この発明に係る除塵用バ−スクリ−ンは、直線のスクリ−ンバ−を曲げ加工するだけで製作できるので、スクリ−ンバ−に特殊な部材を使用するときに比較して、製作費が高騰することはない。
【発明の効果】
【００１６】
この発明により、除塵用バ−スクリ−ンの閉塞防止対策が、高額な費用を要することなしに実現できる。
【発明を実施するための最良の形態】
【００１７】
以下に、図面を参照して、本発明の実施の形態を説明する。図１は、本発明の除塵用バ−スクリ−ンの第一の実施形態を示す図である。このバ−スクリ−ンは、水路の流れの方向Ｙと直交する方向（水路の幅方向）Ｘに沿って等間隔Ａに配置された複数のスクリ−ンバ−１から構成されている。そして、各スクリ−ンバ−１の流れの方向Ｙに配置された直線部２の水の流入側には、流れの方向Ｙから同一方向に傾いた同一曲率の曲り部３が構成され、直線部２と曲り部３は滑らかに接続されている。
【００１８】
このように構成されているので、スクリ−ンバ−１の曲り部３を通過できる塵芥は、図に示す直径ａ程度の大きさ以下のものであり、隣り合う直線部２と２の間に挟まり込む大きさの塵芥の直径はｂであり、ａ＜ｂとなることから、スクリ−ンバ−１の曲り部３をすり抜けてスクリ−ンバ−１の直線部２と２の間に入った塵芥は、当該部に挟まり込むことなく水流によって流下する。
【００１９】
したがって、塵芥がスクリ−ンバ−１とスクリ−ンバ−１との間に嵌り込んで抜け出せなくことはない。
【００２０】
なお、曲り部３を形成させる範囲Ｌや曲り部３の曲率半径および間隔Ｂは、操業の実態に合わせて決定すればよい。
【００２１】
また、間隔Ｂは、曲り部３に捕捉された塵芥を排除するためのレ−キが入り込むだけの間隔が必要であることは言うまでもない。
【００２２】
図２は、本発明の除塵用バ−スクリ−ンの第二の実施形態を示す図である。この実施形態においては、各スクリ−ンバ−４の直線部５を水の流れの方向Ｙから曲り部６の曲りの方向とは逆方向に傾けたものであり、この場合も曲り部６は直線部５に滑らかに接続されている。したがって、第一の実施形態と同じ効果をもたらすことができる。
【００２３】
図３は、本発明の除塵用バ−スクリ−ンの第三の実施形態を示す図である。この実施形態においては、各スクリ−ンバ−７の直線部８を水の流れの方向Ｙから曲り部９の曲りの方向と同一方向に傾けたものであり、この場合も曲り部９は直線部８に滑らかに接続されている。したがって、第一および第二の実施形態と同じ効果をもたらすことができる。
【００２４】
図４は、本発明の除塵用バ−スクリ−ンの第四の実施形態を示す図である。この実施形態においては、各スクリ−ンバ−１０を水の流れの方向Ｙから同一方向に傾いた曲り部のみで構成している。この場合も曲り部流入側の塵芥通路が流出側の塵芥通路の大きさよりも小さくなっているので、第一、第二および第三の実施形態と同じ効果をもたらすことができる。
【００２５】
上述したバ−スクリ−ンの曲り部の曲率は、曲り部全長にわたって同一でもよいし、曲率を徐々に変化させてもよい。
【００２６】
なお、本発明においては、スクリ−ンバ−の曲り部を直線ではなく曲線で構成するようにしているが、その理由は次のとおりである。すなわち、図５に示すように、スクリ−ンバ−１１の直線部１２に接続する曲り部１３を水の流れの方向Ｙに対してθ傾けた直線で構成した場合には、曲り部１３の塵芥通路の幅は、直線部１２の塵芥通路の大きさより狭くすることができるが、曲り部１３と１３の間は平行部分となるので、当該部位に塵芥が挟まり込んで目詰まりが生じることになり、バ−スクリ−ンとしての閉塞防止効果はない。
【００２７】
図６に示すように、スクリ−ンバ−１４の直線部１５に接続する曲り部１６を水の流れの方向Ｙに対して直角に傾けた直線で構成した場合には、水の抵抗が大きくなり実用に適さなくなる。
【００２８】
図７に示すように、スクリ−ンバ−１７の直線部１８に接続する曲り部１９を水の流れの方向Ｙに対して直角以上に傾けた直線で構成した場合には、図６に示すバ−スクリ−ンに比べて水の抵抗は少なくなるが、塵芥が曲り部１９に楔状に食い込んで取れなくなるという問題がある。
【図面の簡単な説明】
【００２９】
【図１】本発明の除塵用バ−スクリ−ンの第一の実施形態を示す図である。
【図２】本発明の除塵用バ−スクリ−ンの第二の実施形態を示す図である。
【図３】本発明の除塵用バ−スクリ−ンの第三の実施形態を示す図である。
【図４】本発明の除塵用バ−スクリ−ンの第四の実施形態を示す図である。
【図５】本発明に採用できない除塵用バ−スクリ−ンの一例を示す図である。
【図６】本発明に採用できない除塵用バ−スクリ−ンの他の例を示す図である。
【図７】本発明に採用できない除塵用バ−スクリ−ンの他の例を示す図である。
【図８】従来の除塵用バ−スクリ−ンの一例を示す図である。
【図９】従来の除塵用バ−スクリ−ンの他の例を示す図である。
【図１０】従来の除塵用バ−スクリ−ンの他の例を示す図である。
【符号の説明】
【００３０】
１  スクリ−ンバ−
２  直線部
３  曲り部
４  スクリ−ンバ−
５  直線部
６  曲り部
７  スクリ−ンバ−
８  直線部
９  曲り部
１０  スクリ−ンバ−
１１  スクリ−ンバ−
１２  直線部
１３  曲り部
１４  スクリ−ンバ−
１５  直線部
１６  曲り部
１７  スクリ−ンバ−
１８  直線部
１９  曲り部
【図１】
2005299213.tif 000003
【図２】
2005299213.tif 000004
【図３】
2005299213.tif 000005
【図４】
2005299213.tif 000006
【図５】
2005299213.tif 000007
【図６】
2005299213.tif 000008
【図７】
2005299213.tif 000009
【図８】
2005299213.tif 000010
【図９】
2005299213.tif 000011
【図１０】
2005299213.tif 000012